(57)【要約】【課題】硬質材製のルアー芯体と、その周囲を覆う軟質材製のルアー外周体との間の固着関係を高め、機械的耐久性を図ったプラスチックルアーならびにその製造方法を提供すること。【解決手段】硬質材製のルアー芯体２と、該ルアー芯体の周囲を覆い、外観擬似餌形態を具現する軟質材製のルアー外周体３とにより構成されるプラスチックルアー１であって、ルアー芯体のまわりに、ルアー外周体を連係固着するための連係固着手段Ｆを設けてなり、連係固着手段が、ルアー外周体の成型時における軟質材の染み込みにより連係固着する連係固着層６、および／あるいはルアー芯体に設けた凹部、凸部、貫通孔あるいは貫通孔に結び付けたリボンなどであることを特徴とするものである。【選択図】図２
2010022307.tif 000002
【特許請求の範囲】
【請求項１】
硬質材製のルアー芯体と、該ルアー芯体の周囲を覆い、外観擬似餌形態を具現する軟質材製のルアー外周体とにより構成されるプラスチックルアーであって、
前記ルアー芯体のまわりに、前記ルアー外周体を連係固着するための連係固着手段を設けたことを特徴とするプラスチックルアー。
【請求項２】
前記ルアー芯体のための硬質材が、硬質樹脂、木などであり、前記ルアー外周体のための軟質材が、軟質樹脂、シリコーン、ゴムなどであることを特徴とする請求項1に記載のプラスチックルアー。
【請求項３】
前記連係固着手段が、ルアー外周体の成型時における軟質材の染み込みにより連係固着する連係固着層であることを特徴とする請求項1あるいは請求項２に記載のプラスチックルアー。
【請求項４】
前記連係固着手段が、ルアー芯体に設けた凹部、凸部、貫通孔あるいは貫通孔に結び付けたリボン、毛糸、紐などであることを特徴とする請求項1あるいは請求項２に記載のプラスチックルアー。
【請求項５】
前記連係固着層が、フェルト、布、あるいは起毛塗装により形成されるものからなることを特徴とする請求項３に記載のプラスチックルアー。
【請求項６】
硬質材製のルアー芯体と、該ルアー芯体の周囲を覆い、外観擬似餌形態を具現する軟質材製のルアー外周体とにより構成されるプラスチックルアーの製造方法であって、
外周軟質材の成型時に、軟質材に対して連係固着するための連係固着手段を少なくとも一部に設けた硬質材製のルアー芯体を準備する第１の工程と、
前記ルアー芯体を中型として、そのまわりに軟質材によりルアー外周体を成型してなる第２の工程とからなることを特徴するプラスチックルアーの製造方法。
【発明の詳細な説明】
【技術分野】
【０００１】
この発明は、釣りの際に用いるプラスチック製のルアー（擬似餌）に関するものであり、特に、硬質材製のルアー芯体と、軟質材製のルアー外周体とによって構成されるプラスチックルアーにあって、ルアー芯体とルアー外周体との間の固着関係を高め、機械的耐久性の向上を図ってなるプラスチックルアーならびにその製造方法に関するものである。
【背景技術】
【０００２】
周知のように、一般的なプラスチックルアーは、釣るべき魚の餌となるような小魚、エビ、昆虫およびこれに類するものをプラスチック成型により外観擬似餌形態に具現化したものであリ、例えば、図２に示す実施例のもののように、小魚の形態に似せたプラスチック成型品として供される。このプラスチックルアー１は、よりリアルな擬似造形体とするため、外周囲を軟質樹脂で成型した軟質樹脂成型ルアーとして供され、生餌に代えて釣り糸ラインに連結して使用されている。
【０００３】
この外周囲を軟質樹脂により成型したプラスチックルアー１は、機械的強度を高める目的において、内部に硬質樹脂あるいは木材などでなるルアー芯体が設けられている。このプラスチックルアー１は、前記硬質材製のルアー芯体に対して、釣り糸を結束するための釣り糸結束アイ、釣り針を連結するための釣り針連結アイ、重量を付加するための錘などの各パーツが取り付けられるようになっている。
【０００４】
この種の外周囲が軟質樹脂製のプラスチックルアーは、往々にして、硬質材製のルアー芯体と軟質材製のルアー外周体との間の固着性が悪いために、ルアー芯体に対する外力の作用により、ルアー芯体がルアー外周体から離脱してしまうことがあった。より詳細には、ルアー芯体とルアー外周体とがしっかりと固定されていない場合、キャスティング時や魚が掛かった時などにルアー芯体が所定の位置からずれてしまい、希望の性能（真っ直ぐ泳ぐ）が得られなくなったり、魚が掛かった場合にルアー芯体とルアー外周体とのつなぎ目からルアー外周体が切れてしまいルアーが破壊し易いものであった。
【０００５】
【特許文献１】実用新案登録第３０９１３６２号公報
【発明の開示】
【発明が解決しようとする課題】
【０００６】
そこで、この発明は、上記する従来のプラスチックルアーの構成において指摘されている問題点並びに欠点を解消するべく改良したプラスチックルアーを供するものであって、特に、硬質材製のルアー芯体と、その周囲を覆う軟質材製のルアー外周体との間の固着関係を高め、機械的耐久性を図ってなるプラスチックルアーならびにその製造方法を提供することにある。
【課題を解決するための手段】
【０００７】
この発明は、上記する目的を達成するにあたって、請求項１に記載の発明は、硬質材製のルアー芯体と、該ルアー芯体の周囲を覆い、外観擬似餌形態を具現する軟質材製のルアー外周体とにより構成されるプラスチックルアーであって、
前記ルアー芯体のまわりに、前記ルアー外周体を連係固着するための連係固着手段を設けたことを特徴するプラスチックルアーを構成するものである。
【０００８】
さらに、この発明において請求項２に記載の発明は、請求項１に記載のプラスチックルアーであって、前記ルアー芯体のための硬質材が、硬質樹脂、木などであり、前記ルアー外周体のための軟質材が、軟質樹脂、シリコーン、ゴムなどであることを特徴とするものである。
【０００９】
さらにまた、この発明において請求項３に記載の発明は、請求項１あるいは請求項２に記載のプラスチックルアーであって、前記連係固着手段が、ルアー外周体の成型時における軟質材の染み込みにより連係固着する連係固着層であることを特徴とするものである。
【００１０】
さらにまた、この発明において請求項４に記載の発明は、請求項１あるいは請求項２に記載のプラスチックルアーであって、前記連係固着手段が、ルアー芯体に設けた凹部、凸部、貫通孔あるいは貫通孔に結び付けたリボン、毛糸、紐あるいは組紐などであることを特徴とする。
【００１１】
さらに、この発明において請求項５に記載の発明は、請求項３に記載のプラスチックルアーであって、前記連係固着層が、フェルト、布、あるいは起毛塗装により形成されるものからなることを特徴とするものである。
【００１２】
さらに、この発明において請求項６に記載の発明は、硬質材製のルアー芯体と、該ルアー芯体の周囲を覆い、外観擬似餌形態を具現する軟質材製のルアー外周体とにより構成されるプラスチックルアーの製造方法であって、
外周軟質材の成型時に、軟質材に対して連係固着するための連係固着手段を少なくとも一部に設けた硬質材製のルアー芯体を準備する第１の工程と、
前記ルアー芯体を中型として、そのまわりに軟質材によりルアー外周体を成型してなる第２の工程とからなることを特徴するプラスチックルアーの製造方法を構成するものである。
【発明の効果】
【００１３】
この発明になるプラスチックルアーは、構造が極めて簡単であり、製造が容易であって、多量生産に適合し得る点において、経済的にも極めて有利に作用するものであり、さらに、構成部材が少ないものであるという点においても極めて実効性の高いものであるといえる。
【００１４】
さらに、この発明になるプラスチックルアーは、硬質材製のルアー芯体と、該ルアー芯体の周囲を覆い、外観擬似餌形態を具現する軟質材製のルアー外周体とにより構成され、ルアー芯体のまわりに、ルアー外周体を連係固着するための連係固着手段を設けたものであり、該連係固着手段が、ルアー外周体の成型時における軟質材の染み込みにより連係固着する連係固着層により構成され、更には、ルアー芯体に設けた凹部、凸部、あるいは貫通孔により構成されるものであり、ルアー芯体とルアー外周体との間の固着関係を強化するものであって、ルアー外周体の内部でのルアー芯体の移動、ならびに離脱を可及的に防止することができる。
【発明を実施するための最良の形態】
【００１５】
以下、この発明になるプラスチックルアーについて、図面に示す具体的な実施例に基づいて詳細に説明する。図１は、この発明になるプラスチックルアー１におけるルアー芯体２の具体的な一実施例を示すものであって、図１Ａは、その概略的な側断面図であり、図１Ｂは、図１Ａにおける１Ｂ−１Ｂ線に沿って矢視方向にみた概略的な断面図である。一方、図２は、ルアー芯体２とルアー外周体３により構成されるプラスチックルアー１の一例を、ルアー外周体３のみを断面にして示す概略的な側断面図である。
【００１６】
まず、この発明になるプラスチックルアー１は、基本的には、硬質材製のルアー芯体２と、該ルアー芯体２の周囲を覆い、外観的には、擬似餌形態を具現する軟質材製のルアー外周体３とにより構成されている。前記ルアー芯体２のための硬質材としては、硬質樹脂材、あるいは木材などが好適であり、場合によっては軽金属であってもよい。一方、前記ルアー外周体３のための軟質材としては、軟質樹脂、シリコーンあるいはゴムなどが好適である。
【００１７】
図１に示す実施例において、前記ルアー芯体２は、硬質プラスチック成形体４により構成されていて、その一部には、擬似眼球に相当するように錘部材９がインモールド成型などにより嵌め込まれている。さらに、前記ルアー芯体２には、釣り糸ラインに連結される釣り糸結束アイ１１、および、釣り針を連結するための釣り針連結アイ１０などが設けてある。
【００１８】
この発明における重要な要素である連係固着手段Ｆについて、図１および図２に示す具体的な実施例に基づいて説明する。この発明では、前記ルアー芯体２のまわりに、前記ルアー外周体３を確実に連係固着するための連係固着手段Ｆが設けられている。一例において、前記連係固着手段Ｆは、ルアー芯体２のまわりにルアー外周体３を成型する際、成型時における軟質樹脂材の染み込みにより連係固着する連係固着層６として形成される。
【００１９】
この場合、前記ルアー芯体２の側面には、例えば、連係固着層形成部５が設けられ、この連係固着層形成部５に対して、フェルト、布などの樹脂浸透性の高い素材を貼り合わせ、あるいは起毛塗装を施すことにより、軟質樹脂成型時において軟質樹脂が染み込みやすい構造部分を形成するようになっている。
【００２０】
前記連係固着手段Ｆの別の実施例としては、ルアー芯体２に対して、その表面に直接設けた凹部、凸部、貫通孔７、あるいは、貫通孔７に結びつけたリボン、毛糸、紐８などによる構成のものであってもよい。前記凹部、凸部、貫通孔７は、ルアー芯体２のまわりにルアー外周体３を成型することにより、引っ掛かりとなって連係固着性を高めるものであり、貫通孔７に結びつけたリボン、毛糸、紐８などは、軟質樹脂が浸透して、その連係固着性を高めるのに効果的である。
【００２１】
次に、この発明になるプラスチックルアーの製造方法について、詳細に説明する。この発明になるプラスチックルアーの製造方法は、外周軟質材の成型時に、軟質材に対して連係固着するための連係固着手段Ｆを少なくとも一部に設けた硬質材製のルアー芯体２を準備する第１の工程と、ルアー芯体２を中型として、そのまわりに軟質材によりルアー外周体３を成型してなる第２の工程とを含むものからなっている。
【００２２】
この発明において、前記第１の工程では、図１に示すような硬質材製のルアー芯体２が準備される。ここで準備されるルアー芯体２は、そのまわりに、ルアー外周体３を成型する際、成型時における軟質樹脂材が染み込みやすい素材により連係固着層６が形成され、さらに加えて、ルアー芯体自体に、凹部、凸部、あるいは貫通孔７を設け、さらに、貫通孔７にリボン、毛糸、紐、組紐８などを結びつけておく。
【００２３】
前記第２の工程では、図２に示すように、前記ルアー芯体２を中型として、そのまわりに軟質樹脂材によりルアー外周体３が成型される。このルアー外周体３の成型時に、軟質樹脂材は、前記ルアー芯体２に設けてある連係固着手段Ｆに対して、染み込みあるいは係り止まるようにして連係固着性を高める。
【図面の簡単な説明】
【００２４】
【図１】図１は、この発明になるプラスチックルアー１におけるルアー芯体２の具体的な一実施例を示すものであって、図１Ａは、その概略的な側断面図であり、図１Ｂは、図１Ａにおける１Ｂ−１Ｂ線に沿って矢視方向にみた概略的な断面図である。
【図２】図２は、ルアー芯体２とルアー外周体３により構成されるプラスチックルアー１の一例を、ルアー外周体３のみを断面にして示す概略的な側断面図である。
【符号の説明】
【００２５】
１  プラスチックルアー
２  ルアー芯体
３  ルアー外周体
４  硬質プラスチック成形体
Ｆ  連係固着手段
５  連係固着層形成部
６  連係固着層
７  貫通孔
８  リボン
９  錘部材
１０  釣り針連結アイ
１１  釣り糸結束アイ
【図１】
2010022307.tif 000003
【図２】
2010022307.tif 000004